(57)【要約】【課題】携帯端末にデータが送信されたことを、作業中のクライアント端末に速やかに知らせる携帯端末、クライアント端末、通信システム、及び携帯端末プログラムを提供する。【解決手段】メイン処理が実行され、ＩＭデータを受信すると（Ｓ１１：ＹＥＳ）、ＩＭデータが記憶され（Ｓ１４）、通信要求信号が送信される（Ｓ１６）。クライアント端末ＩＤを受信すると（Ｓ１８：ＹＥＳ）、転送端末ＩＤ記憶エリアに記憶された転送端末ＩＤを取得する（Ｓ２０）。クライアント端末ＩＤと転送端末ＩＤが一致した場合（Ｓ２１：ＹＥＳ）、一致したクライアント端末ＩＤを無線通信部に設定する（Ｓ２２）。そして、ＩＭデータ、転送情報を送信し（Ｓ２３）、転送フラグを「Ｔｒｕｅ」に設定する（Ｓ２４）。次いで、ＩＭデータを表示する画面表示処理が実行さることで（Ｓ２５）、ＩＭデータが転送されたことを把握できる。【選択図】図１１
2010086326.tif 000002
【特許請求の範囲】
【請求項１】
サーバとの間でデータの送受信を行うと共に、クライアント端末に備えられたクライアント側通信装置との間でデータ通信を行う端末側通信装置を備えた携帯端末であって、
前記サーバから送信されたインスタントメッセージ、又は電子メールであるメッセージデータを受信する第一受信手段と、
当該第一受信手段によって受信された前記メッセージデータを記憶するデータ記憶手段と、
前記クライアント端末が、前記携帯端末から所定距離以内に存在するか否かを判断する距離判断手段と、
当該距離判断手段によって、前記クライアント端末が前記携帯端末から前記所定距離以内に存在すると判断された場合に、前記端末側通信装置を介して、前記データ記憶手段に記憶された前記メッセージデータを、前記クライアント端末の前記クライアント端末側通信装置に送信するデータ送信手段と
を備えたことを特徴とする携帯端末。
【請求項２】
前記データ送信手段は、前記メッセージデータと、当該メッセージデータが前記携帯端末から送信されたことを示し、且つ当該メッセージデータが前記携帯端末から送信された旨を示す情報を前記クライアント端末で表示するためのクライアント送信情報とを、前記クライアント端末の前記クライアント端末側通信装置に送信することを特徴とする請求項１に記載の携帯端末。
【請求項３】
前記データ記憶手段には、
前記メッセージデータと、
前記メッセージデータが前記クライアント端末に送信されたか否かを示す送信情報と
が対応付けられて記憶され、
前記データ送信手段によって、前記データ記憶手段に記憶された前記メッセージデータが、前記クライアント端末の前記クライアント端末側通信装置に送信された場合に、当該メッセージデータに対応する前記送信情報の内容を、前記メッセージデータが前記クライアント端末に送信された内容に変更する送信情報変更手段と、
前記メッセージデータを表示する第一表示手段と、
前記送信情報変更手段により、前記メッセージデータに対応する前記送信情報の内容が、前記クライアント端末に前記メッセージデータが送信された内容に変更された場合、前記クライアント端末に前記メッセージデータが送信された旨を示す情報を前記第一表示手段に表示させる第一表示制御手段と
を備えたことを特徴とする請求項２に記載の携帯端末。
【請求項４】
前記データ記憶手段に記憶された前記メッセージデータの内で、前記クライアント端末に送信されていない未送信メッセージデータを、前記送信情報に基づいて検出する未送信データ検出手段を備え、
前記データ送信手段は、
前記未送信データ検出手段によって前記未送信メッセージデータが検出され、且つ前記距離判断手段によって、前記クライアント端末が前記携帯端末から前記所定距離以内に存在すると判断された場合、前記未送信メッセージデータと、前記クライアント送信情報とを、前記クライアント端末の前記クライアント端末側通信装置に送信することを特徴とする請求項２又は３に記載の携帯端末。
【請求項５】
前記データ記憶手段には、
前記メッセージデータが表示されたか否かを示す表示情報が、前記メッセージデータに対応付けられて記憶され、
前記未送信データ検出手段により検出された前記未送信メッセージデータの内で、前記第一表示手段に表示されていない未読メッセージデータを、前記表示情報に基づいて検出する未読データ検出手段を備え、
前記データ送信手段は、
前記未読データ検出手段によって前記未読メッセージデータが検出され、且つ前記距離判断手段によって、前記クライアント端末が前記所定距離以内に存在すると判断された場合、当該未読メッセージデータと、前記クライアント送信情報とを、前記クライアント端末の前記クライアント端末側通信装置に送信することを特徴とする請求項４に記載の携帯端末。
【請求項６】
前記データ通信は、無線による通信であり、
前記距離判断手段は、前記クライアント端末との間で、前記データ通信が可能である場合、前記クライアント端末が前記携帯端末から前記所定距離以内に存在すると判断することを特徴とする請求項１乃至５のいずれかに記載の携帯端末。
【請求項７】
前記第一受信手段は、前記メッセージデータ、及び当該メッセージデータに対応づけられた、前記クライアント端末を識別するクライアント端末情報を前記サーバから受信し、
前記クライアント端末設定手段は、前記第一受信手段により受信された前記メッセージデータに対応付けられた前記クライアント端末情報で特定される前記クライアント端末を、前記端末側通信装置で無線通信をする前記クライアント端末に設定することを特徴とする請求項２乃至６のいずれかに記載の携帯端末。
【請求項８】
前記クライアント端末を識別するクライアント端末情報を記憶したクライアント端末情報記憶手段と、
前記クライアント端末情報記憶手段に記憶された前記クライアント端末情報で特定される前記クライアント端末を、前記端末側通信装置で無線通信をする前記クライアント端末に設定するクライアント端末設定手段と
を備えたことを特徴とする請求項２乃至６のいずれかに記載の携帯端末。
【請求項９】
前記サーバは、前記クライアント端末情報をサーバ記憶手段に記憶させるサーバ記憶制御手段を備え、
前記サーバ記憶手段に記憶された前記クライアント端末情報を前記サーバから受信するクライアント端末情報受信手段と、
前記クライアント端末情報記憶手段に記憶された前記クライアント端末情報を、前記クライアント端末情報受信手段により受信された前記クライアント端末情報に変更するクライアント端末情報変更手段と
を備えたことを特徴とする請求項８に記載の携帯端末。
【請求項１０】
前記端末側通信装置、及び前記クライアント側通信装置は、Ｂｌｕｅｔｏｏｔｈ規格に準じたデータ通信を行うことを特徴とする請求項２乃至９のいずれかに記載の携帯端末。
【請求項１１】
請求項２乃至１０のいずれかに記載の携帯端末との間で無線によるデータ通信を行う前記クライアント側通信装置を備えたクライアント端末であって、
前記データを表示する第二表示手段と、
前記データ送信手段により送信された前記クライアント送信情報を受信する第二受信手段と、
前記第二受信手段により前記クライアント送信情報を受信した場合、前記携帯端末から送信された旨を示す情報を前記第二表示手段に表示させる第二表示制御手段と
を備えたことを特徴とするクライアント端末。
【請求項１２】
請求項１乃至１０のいずれかに記載の携帯端末と、前記クライアント端末と、前記サーバとから構成された通信システム。
【請求項１３】
請求項１乃至１０のいずれかに記載の携帯端末の各種処理として携帯端末に内蔵されたコンピュータを機能させることを特徴とする携帯端末プログラム。
【発明の詳細な説明】
【技術分野】
【０００１】
本発明は、携帯端末、クライアント端末、通信システム、及び携帯端末プログラムに関するものである。
【背景技術】
【０００２】
従来、サーバとの間でデータの送受信を行うと共に、外部のクライアント端末との間で無線によるデータ通信を行うことができる携帯端末が知られている（例えば、特許文献１参照）。
【０００３】
ところで、上記のようなサーバとの間でデータの送受信を行う端末としては、携帯端末と、据え置き型のＰＣ端末とがある。このような２つの種類のクライアント端末を有するシステムでは、これら端末に向けてメッセージを送信する場合、何れの端末に送信するかの決定を行っていた。例えば、インスタントメッセージ（ＩＭ）や、電子メールに添付されたファイルの容量によって、配信先の端末を決定する方法が知られている。
【特許文献１】特開平１１−１３６２７７号公報
【発明の開示】
【発明が解決しようとする課題】
【０００４】
しかしながら、上記記載の方法では、配信先の決定は、送信するデータ容量で決定されてしまうので、例えば、携帯端末を机の上において、ＰＣ端末で作業をしている場合、携帯端末に送られたメッセージにユーザは気づくことができないという問題点があった。
【０００５】
そこで、本発明は、上述した問題を解決するためになされたものであり、携帯端末にデータが送信されたことを、作業中のクライアント端末に速やかに知らせる携帯端末、クライアント端末、通信システム、及び携帯端末プログラムを提供することを目的とする。
【課題を解決するための手段】
【０００６】
上記目的を達成するために、請求項１に係る発明の携帯端末は、サーバとの間でデータの送受信を行うと共に、クライアント端末に備えられたクライアント側通信装置との間でデータ通信を行う端末側通信装置を備えた携帯端末であって、前記サーバから送信されたインスタントメッセージ、又は電子メールであるメッセージデータを受信する第一受信手段と、当該第一受信手段によって受信された前記メッセージデータを記憶するデータ記憶手段と、前記クライアント端末が、前記携帯端末から所定距離以内に存在するか否かを判断する距離判断手段と、当該距離判断手段によって、前記クライアント端末が前記携帯端末から前記所定距離以内に存在すると判断された場合に、前記端末側通信装置を介して、前記データ記憶手段に記憶された前記メッセージデータを、前記クライアント端末の前記クライアント端末側通信装置に送信するデータ送信手段とを備えている。
【０００７】
また、請求項２に係る発明の携帯端末は、請求項１に記載の発明の構成に加え、前記データ送信手段は、前記メッセージデータと、当該メッセージデータが前記携帯端末から送信されたことを示し、且つ当該メッセージデータが前記携帯端末から送信された旨を示す情報を前記クライアント端末で表示するためのクライアント送信情報とを、前記クライアント端末の前記クライアント端末側通信装置に送信することを特徴とする。
【０００８】
また、請求項３に係る発明の携帯端末は、請求項２に記載の発明の構成に加え、前記データ記憶手段には、前記メッセージデータと、前記メッセージデータが前記クライアント端末に送信されたか否かを示す送信情報とが対応付けられて記憶され、前記データ送信手段によって、前記データ記憶手段に記憶された前記メッセージデータが、前記クライアント端末の前記クライアント端末側通信装置に送信された場合に、当該メッセージデータに対応する前記送信情報の内容を、前記メッセージデータが前記クライアント端末に送信された内容に変更する送信情報変更手段と、前記メッセージデータを表示する第一表示手段と、前記送信情報変更手段により、前記メッセージデータに対応する前記送信情報の内容が、前記クライアント端末に前記メッセージデータが送信された内容に変更された場合、前記クライアント端末に前記メッセージデータが送信された旨を示す情報を前記第一表示手段に表示させる第一表示制御手段とを備えたことを特徴とする。
【０００９】
また、請求項４に係る発明の携帯端末は、請求項２又は３に記載の発明の構成に加え、前記データ記憶手段に記憶された前記メッセージデータの内で、前記クライアント端末に送信されていない未送信メッセージデータを、前記送信情報に基づいて検出する未送信データ検出手段を備え、前記データ送信手段は、前記未送信データ検出手段によって前記未送信メッセージデータが検出され、且つ前記距離判断手段によって、前記クライアント端末が前記携帯端末から前記所定距離以内に存在すると判断された場合、前記未送信メッセージデータと、前記クライアント送信情報とを、前記クライアント端末の前記クライアント端末側通信装置に送信することを特徴とする。
【００１０】
また、請求項５に係る発明の携帯端末は、請求項４に記載の発明の構成に加え、前記データ記憶手段には、前記メッセージデータが表示されたか否かを示す表示情報が、前記メッセージデータに対応付けられて記憶され、前記未送信データ検出手段により検出された前記未送信メッセージデータの内で、前記第一表示手段に表示されていない未読メッセージデータを、前記表示情報に基づいて検出する未読データ検出手段を備え、前記データ送信手段は、前記未読データ検出手段によって前記未読メッセージデータが検出され、且つ前記距離判断手段によって、前記クライアント端末が前記所定距離以内に存在すると判断された場合、当該未読メッセージデータと、前記クライアント送信情報とを、前記クライアント端末の前記クライアント端末側通信装置に送信することを特徴とする。
【００１１】
また、請求項６に係る発明の携帯端末は、請求項１乃至５のいずれかに記載の発明の構成に加え、前記データ通信は、無線による通信であり、前記距離判断手段は、前記クライアント端末との間で、前記データ通信が可能である場合、前記クライアント端末が前記携帯端末から前記所定距離以内に存在すると判断することを特徴とする。
【００１２】
また、請求項７に係る発明の携帯端末は、請求項２乃至６のいずれかに記載の発明の構成に加え、前記第一受信手段は、前記メッセージデータ、及び当該メッセージデータに対応づけられた、前記クライアント端末を識別するクライアント端末情報を前記サーバから受信し、前記クライアント端末設定手段は、前記第一受信手段により受信された前記メッセージデータに対応付けられた前記クライアント端末情報で特定される前記クライアント端末を、前記端末側通信装置で無線通信をする前記クライアント端末に設定することを特徴とする。
【００１３】
また、請求項８に係る発明の携帯端末は、請求項２乃至６のいずれかに記載の発明の構成に加え、前記クライアント端末を識別するクライアント端末情報を記憶したクライアント端末情報記憶手段と、前記クライアント端末情報記憶手段に記憶された前記クライアント端末情報で特定される前記クライアント端末を、前記端末側通信装置で無線通信をする前記クライアント端末に設定するクライアント端末設定手段とを備えている。
【００１４】
また、請求項９に係る発明の携帯端末は、請求項８に記載の発明の構成に加え、前記サーバは、前記クライアント端末情報をサーバ記憶手段に記憶させるサーバ記憶制御手段を備え、前記サーバ記憶手段に記憶された前記クライアント端末情報を前記サーバから受信するクライアント端末情報受信手段と、前記クライアント端末情報記憶手段に記憶された前記クライアント端末情報を、前記クライアント端末情報受信手段により受信された前記クライアント端末情報に変更するクライアント端末情報変更手段とを備えている。
【００１５】
また、請求項１０に係る発明の携帯端末は、請求項２乃至９のいずれかに記載の発明の構成に加え、前記端末側通信装置、及び前記クライアント側通信装置は、Ｂｌｕｅｔｏｏｔｈ規格に準じたデータ通信を行うことを特徴とする。
【００１６】
また、請求項１１に係る発明のクライアント端末は、請求項２乃至１０のいずれかに記載の携帯端末との間で無線によるデータ通信を行う前記クライアント側通信装置を備えたクライアント端末であって、前記データを表示する第二表示手段と、前記データ送信手段により送信された前記クライアント送信情報を受信する第二受信手段と、前記第二受信手段により前記クライアント送信情報を受信した場合、前記携帯端末から送信された旨を示す情報を前記第二表示手段に表示させる第二表示制御手段とを備えている。
【００１７】
また、請求項１２に係る発明の通信システムは、請求項１乃至１０のいずれかに記載の携帯端末と、前記クライアント端末と、前記サーバとから構成されている。
【００１８】
また、請求項１３に係る発明の携帯端末プログラムは、請求項１乃至１０のいずれかに記載の携帯端末の各種処理として携帯端末に内蔵されたコンピュータを機能させることを特徴とする。
【発明の効果】
【００１９】
請求項１に係る発明の携帯端末では、サーバから受信したメッセージデータがデータ記憶手段に記憶され、距離判断手段によりクライアント端末が、携帯端末から所定距離以内に存在すると判断された場合、データ記憶手段に記憶されたメッセージデータがクライアント端末に送信される。これにより、ユーザが、クライアント端末との所定距離以内に携帯端末を置いて、クライアント端末を使用している場合、クライアント端末で携帯端末に送信されたメッセージデータを取得できる。その結果、携帯端末に送信されたメッセージデータをより早い段階で気付くことができる。
【００２０】
また、請求項２に係る発明の携帯端末では、請求項１に記載の発明の効果に加え、送信手段により携帯端末からクライアント端末に、メッセージデータと、クライアント送信情報とが送信される。これにより、クライアント端末で受信したメッセージデータは、携帯端末から送信されたものであることが分かり、携帯端末から送信された旨を示す情報をクライアント端末で表示することに使用できる。
【００２１】
また、請求項３に係る発明の携帯端末では、請求項２に記載の発明の効果に加え、前記データ記憶手段には、メッセージデータに対応づけられて送信情報が記憶されている。そして、データ送信手段によりメッセージデータがクライアント端末に送信された場合、送信情報変更手段により、メッセージデータが送信された旨の内容に、送信情報が更新される。そして、第一表示手段に、クライアント端末にメッセージデータを送信した旨を示す情報が表示される。これにより、ユーザは携帯端末を使用する際に、クライアント端末に送信したメッセージデータか否かを把握できる。その結果、ユーザは携帯端末で閲覧する必要があるメッセージデータか否かを判断することができる。
【００２２】
また、請求項４に係る発明の携帯端末では、請求項２又は３に記載の発明の効果に加え、未送信データ検出手段によって未送信メッセージデータが検出され、通信圏内判断手段によって、クライアント端末が通信圏内に存在すると判断された場合、未送信メッセージデータがクライアント端末に送信される。これにより、通信圏外で携帯端末にサーバからメッセージデータが受信され、ユーザが携帯端末を通信圏内に持ち込んだ場合でも確実にクライアント端末にメッセージデータを送信することができる。
【００２３】
また、請求項５に係る発明の携帯端末では、請求項４に記載の発明の効果に加え、前記データ記憶手段には、メッセージデータに対応づけられて表示情報が記憶されている。そして、未読データ検出手段によって、携帯端末記憶手段に記憶されている未送信メッセージデータの内で、第一表示手段に表示されていない未読メッセージデータを、表示情報に基づいて検出し、データ送信手段により未読メッセージデータをクライアント端末に送信する。その結果、携帯端末でユーザが閲覧していないメッセージデータだけをクライアント端末で受信することができるため、クライアント端末において、不必要なメッセージデータを受信することを防止できる。
【００２４】
また、請求項６に係る発明の携帯端末では、請求項１乃至５のいずれかに記載の発明の効果に加え、距離判断手段は無線によるデータ通信が可能であれば、所定距離以内にクライアント端末が存在すると判断する。そして、データ記憶手段に記憶されたメッセージデータがクライアント端末に送信される。これにより、ユーザが、クライアント端末との所定距離以内に携帯端末を置いて、クライアント端末を使用している場合、クライアント端末で携帯端末に送信されたメッセージデータを取得できる。その結果、携帯端末に送信されたメッセージデータをより早い段階で気付くことができる。
【００２５】
また、請求項７に係る発明の携帯端末では、請求項２乃至６のいずれかに記載の発明の効果に加え、第一受信手段によってサーバから受信されるデータには、クライアント端末情報が対応づけられている。そして、クライアント端末設定手段により端末側通信装置で無線通信をするクライアント端末に設定される。これにより、ユーザは、メッセージデータを送信するサーバから、無線通信をするクライアント端末を指定することができる。
【００２６】
また、請求項８に係る発明の携帯端末では、請求項２乃至６のいずれかに記載の発明の効果に加え、クライアント端末設定手段により、クライアント端末情報記憶手段に記憶されているクライアント端末情報が、端末側通信装置で無線通信をするクライアント端末に設定される。これにより、ユーザは、無線通信をするクライアント端末を識別するクライアント端末情報をクライアント端末情報記憶手段に記憶させることで、携帯端末と無線通信をしたいクライアント端末を指定することができる。
【００２７】
また、請求項９に係る発明の携帯端末では、請求項８に記載の発明の効果に加え、クライアント端末情報変更手段により、クライアント端末情報記憶手段に記憶されている端末情報が、クライアント端末情報受信手段により受信されたクライアント端末情報に変更される。これにより、ユーザは、データを送信するサーバから携帯端末と無線通信をしたいクライアント端末を指定することができる。
【００２８】
また、請求項１０に係る発明の携帯端末では、請求項２乃至９のいずれかに記載の発明の効果に加え、端末側通信装置は、Ｂｌｕｅｔｏｏｔｈ規格に準じており、クライアント端末のＢｌｕｅｔｏｏｔｈ規格に準じたクライアント端末側通信装置との間で、無線によるデータ通信を行うことができる。
【００２９】
また、請求項１１に係る発明のクライアント端末は、請求項２乃至１０のいずれかに記載の携帯端末との間で、無線によるデータ通信を行う。そして、第二受信手段によりクライアント送信情報を受信した場合、第二表示制御手段により、携帯端末から送信された旨を示す情報が第二表示手段に表示される。これにより、ユーザが端末側通信装置とクライアント側通信装置との通信圏内に携帯端末を置いて、クライアント端末を使用している場合、クライアント端末の第二表示手段にメッセージが表示されることで、携帯端末にデータが送信されたことをより早い段階で気付くことができる。
【００３０】
また、請求項１２に係る発明の通信システムでは、請求項１乃至１０のいずれかに記載の携帯端末と、クライアント端末と、サーバから構成されている。これにより、携帯端末とサーバとの間、及び携帯端末とクライアント端末との間でデータ通信が可能となる。
【００３１】
また、請求項１３に係る発明の携帯端末プログラムでは、請求項１乃至１０のいずれかに記載の携帯端末の各種処理手段としてコンピュータを機能させる。従って、携帯端末プログラムをコンピュータに実行させることにより、請求項１乃至１０のいずれかに記載の発明の効果を奏することができる。
【発明を実施するための最良の形態】
【００３２】
以下、本発明を具現化した一実施形態について、図面を参照して説明する。なお、参照する図面は、本発明が採用しうる技術的特徴を説明するために用いられるものであり、記載されている装置の構成、各種処理のフローチャートなどは、それのみに限定する趣旨ではなく、単なる説明例である。
【００３３】
まず、図１〜図９を参照して、本実施形態に係る通信システム１の全体構成、ならびに、通信システム１の構成要素である携帯端末１００、クライアント端末３００、及びサーバ２００の構成について、順に説明する。図１は、携帯端末１００、サーバ２００、及びクライアント端末３００の接続形態の一例を示す図である。図２は、携帯端末１００の電気的構成を示すブロック図である。図３は、携帯端末１００のＥＥＰＲＯＭ１０４の構成を示す模式図である。図４は、携帯端末側インスタントメッセージデータベース（以下、「携帯端末側ＩＭＤＢ」という。）１４２１の構成を示す模式図である。図５は、クライアント端末３００の電気的構成を示すブロック図である。図６は、クライアント端末３００のハードディスクドライブ（ＨＤＤ）３０４の構成を示す模式図である。図７は、クライアント端末側インスタントメッセージデータベース（以下、「クライアント端末側ＩＭＤＢ」という。）３４２１の構成を示す模式図である。図８は、サーバ２００の電気的構成を示すブロック図である。図９は、サーバ２００のＨＤＤ２０４の構成を示す模式図である。図１０は、連絡先ＤＢ２４１０の構成を示す模式図である。
【００３４】
最初に、図１を参照して、通信システム１の全体構成の概略を説明する。図１に示すように、通信システム１は、携帯端末１００、サーバ２００、及びクライアント端末３００を含んでいる。そして、携帯端末１００とサーバ２００は、無線ＬＡＮ等のネットワーク２を介してＩＭ（Ｉｎｓｔａｎｔ  Ｍｅｓｓａｇｅ）データ等によるデータ通信が可能となっている。携帯端末１００とクライアント端末３００も同様に無線によるＩＭデータ等の通信を行うことが可能であるが、Ｂｌｕｅｔｏｏｔｈ（登録商標）通信規格に準じたデータ通信を行う。
【００３５】
Ｂｌｕｅｔｏｏｔｈ通信規格は、２．４ＧＨｚ帯（ＩＳＭバンド）の無線周波数を使用する周知の無線通信規格である。そして、通信を開始する側をマスタ、応答を返す側をスレーブとして接続し、複数（最大７台）の通信機器に接続するネットワーク（ピコネット）を形成する。本実施形態では、マスタ側の端末を携帯端末１００とし、スレーブ側の端末をクライアント端末３００とする。なお、携帯端末１００とクライアント端末３００とは、Ｂｌｕｅｔｏｏｔｈのペアリングを予め、行っているものとする。ここで、本実施形態では、携帯端末１００の使用場所として、オフィスの同一フロア内を想定しているため、通信距離が１０メートル程度のＣｌａｓｓ２のＢｌｕｅｔｏｏｔｈを使用するものとする。また、図１では、携帯端末１００及びクライアント端末３００は１つしか図示されていないが、実際には、例えば、会社の各個人が所有することにより、携帯端末１００及びクライアント端末３００は複数存在してもよい。
【００３６】
サーバ２００、クライアント端末３００は、例えば、周知のパーソナルコンピュータであり、汎用型の装置である。携帯端末１００は、例えば、携帯電話、ＰＤＡ等の持ち運び可能な装置である。
【００３７】
また、通信システム１には、ネットワーク２を介して複合機４００が接続されている。この複合機４００は、電話機能、ファクシミリ（ＦＡＸ）機能等を備えている。本実施の形態では、複合機４００はＦＡＸにより受信した画像データを、携帯端末１００若しくはクライアント端末３００で閲覧可能な所定の形式の画像ファイルに変換し、サーバ２００に対してネットワーク２を介して、その画像ファイルをデータ送信するものとする。また、この送信の際、送信者のＦＡＸ番号、及び受信者のＦＡＸ番号も同時に複合機４００から、サーバ２００に対して送信される。後述するが、サーバ２００は複合機４００から受信した画像ファイルを、携帯端末１００、クライアント端末３００へ送信するＩＭの添付ファイルとして送信する。尚、本実施形態では、複合機４００でＦＡＸの画像データのファイルの変換を行なうものとして説明するが、ファイルの変換はサーバ２００で行なっても良い。
【００３８】
次に、図２のブロック図を参照して、携帯端末１００の電気的構成について説明する。携帯端末１００は、携帯端末１００の制御を司るＣＰＵ１０１を備えている。このＣＰＵ１０１には、ＲＯＭ１０２、ＲＡＭ１０３、ＥＥＰＲＯＭ１０４、表示制御部１０５、入力制御部１０７、無線通信制御部１０９、計時装置１１１、及びイーサネット（登録商標）Ｉ／Ｆ１１２がバス１１３を介して接続されている。
【００３９】
ＲＯＭ１０２には、ＣＰＵ１０１が実行する各種のプログラムが記憶されている。ＲＡＭ１０３には、各種のデータが一時的に記憶される。ＥＥＰＲＯＭ１０４には、携帯端末１００で使用される各種のデータ等が記憶される。表示制御部１０５は、操作画面を表示するための表示部１０６に接続され、この表示部１０６を制御する。入力制御部１０７は、ユーザが操作の入力を行うための操作ボタン等の入力部１０８に接続され、入力の検知を行う。無線通信制御部１０９は、クライアント端末３００と無線通信を行うための無線通信部１１０に接続されている。無線通信部１１０は、Ｂｌｕｅｔｏｏｔｈ通信規格に準じたモジュールであり、クライアント端末３００に備えられた無線通信部３０９（図５参照）との間で無線によりデータ通信を行う。計時装置１１１では、時間が計測される。イーサネットＩ／Ｆ１１２は、外部のネットワーク２との接続のインタフェイスである。イーサネットＩ／Ｆ１１２を介して、ネットワーク２に接続し、サーバ２００とＩＭデータの送受信が可能となる。
【００４０】
次に、図３を参照して、携帯端末１００のＥＥＰＲＯＭ１０４の各種記憶エリアについて説明する。ＥＥＰＲＯＭ１０４には、転送端末ＩＤ記憶エリア１４０１、携帯端末側ＩＭＤＢ記憶エリア１４０２等の各種記憶エリアが設けられている。
【００４１】
転送端末ＩＤ記憶エリア１４０１には、ＩＭデータの転送先であるクライアント端末３００を識別する識別情報が記憶される。携帯端末側ＩＭＤＢ記憶エリア１４０２には、サーバ２００から受信したＩＭデータに基づいた情報である携帯端末側ＩＭＤＢ１４２１（図４参照）が記憶される。
【００４２】
次に、図４を参照して、携帯端末側ＩＭＤＢ１４２１について説明する。携帯端末側ＩＭＤＢ１４２１のレコードは、サーバ２００から受信したＩＭデータ毎に作成される。携帯端末側ＩＭＤＢ１４２１は、例えば、ＩＭデータ毎に、ＩＭデータＩＤ，受信日時，送信者名，受信者名，転送先端末ＩＤ，件名，内容，添付ファイル，転送フラグ，表示フラグを含んだ情報を備えている。ＩＭデータＩＤには、サーバから受信したＩＭデータを識別するユニークなＩＤが記憶される。受信日時には、ＩＭデータを受信した日時が記憶される。送信者名には、送信元のＦＡＸ番号で特定される送信者の氏名が記憶される。受信者名には、送信先のＦＡＸ番号で特定される受信者の氏名が記憶される。転送先端末ＩＤには、送信先のクライアント端末３００を識別するユニークなＩＤがＩＭデータを送信した際に記憶される。件名には、サーバ２００から受信したＩＭデータの件名が記憶される。添付ファイルには、ＩＭデータに添付されたファイル名が記憶される。ここで、ＩＭデータに添付された添付ファイルは、携帯端末側ＩＭＤＢ記憶エリア１４０１に記憶される。内容には、ＩＭデータ表示画面５００（図１３参照）の詳細表示部５２０に表示させるＩＭデータの内容が記憶される。このＩＭデータ表示画面５００についての詳細は、後述する。転送フラグには、ＩＭデータをクライアント端末３００に送信したか否かの情報が記憶される。ここで、ＩＭデータをクライアント端末３００に送信した場合、転送フラグには「Ｔｒｕｅ」が記憶される。また、ＩＭデータをクライアント端末３００に送信していない場合、「Ｆａｌｓｅ」が記憶される。表示フラグには、ＩＭデータ表示画面５００でＩＭデータの内容を詳細表示部５２０に表示したか否かの情報が記憶される。ここで、ＩＭデータの内容を詳細表示部５２０に表示した場合、表示フラグには「Ｔｒｕｅ」が記憶される。また、ＩＭデータの内容を詳細表示部５２０に表示していない場合、「Ｆａｌｓｅ」が記憶される。
【００４３】
次に、図５のブロック図を参照して、クライアント端末３００の電気的構成について説明する。図５に示すように、クライアント端末３００は、クライアント端末３００の制御を司るＣＰＵ３０１を備えている。このＣＰＵ３０１には、ＲＯＭ３０２、ＲＡＭ３０３、ハードディスクドライブ（ＨＤＤ）３０４、イーサネットＩ／Ｆ３０５、入力制御部３０６、出力制御部３０７、及び無線通信制御部３０８がバス３１０を介して接続されている。
【００４４】
ＲＯＭ３０２には、ＣＰＵ３０１が実行するＢＩＯＳを含む、各種のプログラムが記憶されている。ＲＡＭ３０３には、各種のデータが一時的に記憶される。ＨＤＤ３０４には、クライアント端末３００で実行される各種のプログラム等が記憶される。イーサネットＩ／Ｆ３０５は、外部のＬＡＮ（図示外）との接続のインタフェイスである。入力制御部３０６は、ユーザが操作の入力を行うためのキーボード３５０やマウス３６０に接続され、これらの入力の検知を行う。出力制御部３０７は、操作画面を表示するためのディスプレイ３７０に接続され、このディスプレイ３７０を制御する。無線通信部３０９は、Ｂｌｕｅｔｏｏｔｈ通信規格に準じたモジュールであり、携帯端末１００に備えられた無線通信部１１０（図２参照）との間で無線によるデータ通信を行う。そして、無線通信制御部３０８は、無線通信部３０９の制御を行う。
【００４５】
次に、図６を参照して、クライアント端末３００のＨＤＤ３０４の各種記憶エリアについて説明する。ＨＤＤ３０４には、クライアント端末側ＩＭＤＢ記憶エリア３４０１、プログラム記憶エリア３４０２、プログラム関係情報記憶エリア３４０３等の各種記憶エリアが設けられている。
【００４６】
クライアント端末側ＩＭＤＢ記憶エリア３４０１には、携帯端末１００から受信したＩＭデータに関する情報であるクライアント端末側ＩＭＤＢ３４２１（図７参照）が記憶される。プログラム記憶エリア３４０２には、クライアント端末３００で実行される各種のプログラムが記憶される。プログラム関係情報記憶エリア３４０３には、プログラムの実行に必要な設定や初期値、データ等の情報が記憶される。
【００４７】
次に、図７を参照して、クライアント端末側ＩＭＤＢ３４２１について説明する。クライアント端末側ＩＭＤＢ３４２１のレコードは、携帯端末１００から受信したＩＭデータ毎に作成される。クライアント端末側ＩＭＤＢ３４２１は、例えば、ＩＭデータ毎に、ＩＭデータＩＤ，受信日時，送信者名，受信者名，転送元端末ＩＤ，件名，内容，添付ファイル，転送フラグを含んだ情報を備えている。ＩＭデータＩＤには、携帯端末１００から受信したＩＭデータを識別するユニークなＩＤが記憶される。受信日時には、ＩＭデータを受信した日時が記憶される。送信者名には、送信元のＦＡＸ番号で特定される送信者の氏名が記憶される。受信者名には、送信先のＦＡＸ番号で特定される受信者の氏名が記憶される。転送元端末ＩＤには、送信元の携帯端末１００を識別するユニークなＩＤが記憶される。件名には、携帯端末１００から受信したＩＭデータの件名が記憶される。内容には、携帯端末１００から受信したＩＭデータの内容が記憶される。添付ファイルには、ＩＭデータに添付されたファイル名が記憶される。ここで、ＩＭデータに添付された添付ファイルは、クライアント端末側ＩＭＤＢ記憶エリア３４０１に記憶される。転送フラグには、ＩＭデータを携帯端末１００から受信したか否かの情報が記憶される。ここで、ＩＭデータを携帯端末１００から受信した場合、転送フラグには「Ｔｒｕｅ」が記憶される。また、ＩＭデータを携帯端末１００から受信していない場合、「Ｆａｌｓｅ」が記憶される。
【００４８】
次に、図８のブロック図を参照して、サーバ２００の電気的構成について説明する。図８に示すように、サーバ２００は、サーバ２００の制御を司るＣＰＵ２０１を備えている。そして、このＣＰＵ２０１には、ＲＯＭ２０２、ＲＡＭ２０３、ＨＤＤ２０４、入力制御部２０５、出力制御部２０６、及びイーサネットＩ／Ｆ２０８がバス２０９を介して接続されている。
【００４９】
ＲＯＭ２０２には、ＣＰＵ２０１が実行するＢＩＯＳを含む、各種のプログラムが記憶されている。ＲＡＭ２０３には、各種のデータが一時的に記憶される。ＨＤＤ２０４には、サーバ２００で実行される各種のプログラム等が記憶される。入力制御部２０５は、ユーザが操作の入力を行うためのキーボード２５０やマウス２６０に接続され、これらの入力の検知を行う。出力制御部２０６は、操作画面を表示するためのディスプレイ２７０に接続され、このディスプレイ２７０を制御する。イーサネットＩ／Ｆ２０８は、外部のネットワーク２との接続のインタフェイスである。イーサネットＩ／Ｆ２０８を介して、ネットワーク２に接続し、携帯端末１００とＩＭデータの送受信が可能となる。
【００５０】
次に、図９を参照して、サーバ２００のＨＤＤ２０４の各種記憶エリアについて説明する。ＨＤＤ２０４には、連絡先ＤＢ記憶エリア２４０１、プログラム記憶エリア２４０２、プログラム関係情報記憶エリア２４０３等の各種記憶エリアが設けられている。
【００５１】
連絡先ＤＢ記憶エリア２４０１には、ＦＡＸ番号に基づいて送受信者を特定するための連絡先ＤＢ２４１０（図１０参照）が記憶される。プログラム記憶エリア２４０２には、クライアント端末３００で実行される各種のプログラムが記憶される。プログラム関係情報記憶エリア２４０３には、プログラムの実行に必要な設定や初期値、データ等の情報が記憶される。
【００５２】
次に、図１０を参照して、連絡先ＤＢ２４１０について説明する。連絡先ＤＢ２４１０は、予めサーバ２００の連絡先ＤＢ記憶エリア２４０１に記憶されたテーブルであり、ＦＡＸ番号毎に作成されている。連絡先ＤＢ２４１０は、例えば、レコード毎に、ＦＡＸ番号，氏名，携帯端末ＩＤを含んだ情報を備えている。番号には、ＦＡＸ番号が記憶されている。氏名には、ＦＡＸ番号を使用している使用者の氏名が記憶されている。携帯端末ＩＤには、使用者が所有する携帯端末１００を識別するユニークなＩＤが記憶されている。
【００５３】
次に、前述のように構成された携帯端末１００において行われる処理について、図１１〜図１３を参照して説明する。図１１は、携帯端末１００で行われるメイン処理についてのフローチャートである。図１２は、携帯端末１００で行われる画面表示処理のフローチャートである。図１３は、携帯端末１００で表示されるＩＭデータ表示画面５００の一具体例を示す図である。
【００５４】
まず、図１１を参照して、携帯端末１００で行われるメイン処理について説明する。なお、このメイン処理の動作は、携帯端末１００が起動した際に実行され、携帯端末１００主電源がＯＦＦになった場合、終了するものとする。また、携帯端末１００で実行されている他の処理は、別のプログラムで実行されているものとする。メイン処理が実行されると、ＩＭデータを受信したか否かが判断される（Ｓ１１）。このＩＭデータは、サーバ２００からネットワーク２を介して送信されるデータである。サーバ２００では、複合機４００から送信される画像データをＩＭデータに添付し、画像データと共に受信するＦＡＸ番号に基づいて特定される携帯端末１００にＩＭデータを送信するが、詳細については後述する。
【００５５】
ＩＭデータがサーバ２００から受信された場合（Ｓ１１：ＹＥＳ）、ＥＥＰＲＯＭ１０４の携帯端末側ＩＭＤＢ１４２１に、受信したＩＭデータを記憶する（Ｓ１４）。ここで、受信したＩＭデータに基づいて、新たなレコードが携帯端末側ＩＭＤＢ１４２１に記憶される。ＩＭデータＩＤには、自動的にユニークなＩＤが割り振られる。転送先端末ＩＤには、クライアント端末３００にＩＭデータを送信していないため何も記憶されない。転送フラグには、クライアント端末３００に送信していない旨を示す「Ｆａｌｓｅ」が記憶される。表示フラグには、携帯端末１００の表示部１０６で表示されていない旨を示す「Ｆａｌｓｅ」が記憶される。
【００５６】
次いで、スレーブであるクライアント端末３００がＢｌｕｅｔｏｏｔｈの通信圏内に存在するか否かを検知するための信号である通信要求信号が、外部に対して送信される（Ｓ１６）。そして、カウント開始処理が行われる（Ｓ１７）。このカウント開始処理は、タイマカウンタである計測カウンタを用いて行われる。計測カウンタは、ＣＰＵ１０１に接続した計時装置１１１からの信号に基づいてカウントアップされる。
【００５７】
次いで、計測カウンタにより計測された時間が一定時間（例えば、「１秒」とする。）を経過するまでに、クライアント端末３００からクライアント端末ＩＤを受信したか否かが判断される（Ｓ１８）。このクライアント端末ＩＤは、通信要求信号に対してクライアント端末３００から返信される情報であり、クライアント端末３００を識別するＩＤである。Ｓ１８の処理では、計測カウンタにより計測された時間が一定時間を経過するまで、クライアント端末ＩＤの受信を受け付ける。ここで、通信可能なクライアント端末３００が周辺の通信圏内に複数存在し、クライアント端末ＩＤを複数受信しても問題はない。
【００５８】
計測カウンタにより計測された時間が一定時間を経過するまでに、クライアント端末ＩＤを受信しなかった場合（Ｓ１８：ＮＯ）、つまり、Ｂｌｕｅｔｏｏｔｈで通信可能なクライアント端末３００が通信圏内に１つも存在しなかった場合、計測カウンタを停止し、カウント値を「０」に初期化する処理がおこなわれる（Ｓ２６）。そして、Ｓ１１へ戻り、再び新たなＩＭデータを受信したか否かの判断が行われる。
【００５９】
また、計測カウンタにより計測された時間が一定時間を経過するまでに、少なくとも１つのクライアント端末ＩＤを受信した場合（Ｓ１８：ＹＥＳ）、つまり、Ｂｌｕｅｔｏｏｔｈで通信可能なクライアント端末３００が通信圏内に少なくとも１つ以上存在している場合、計測カウンタを停止し、カウント値を「０」に初期化する処理がおこなわれる（Ｓ１９）。そして、転送端末ＩＤが、ＥＥＰＲＯＭ１０４の転送端末ＩＤ記憶エリア１４０１から取得される（Ｓ２０）。転送端末ＩＤは、クライアント端末３００を識別するＩＤである。
【００６０】
次いで、クライアント端末３００から受信したクライアント端末ＩＤの中に、Ｓ２０で取得した転送端末ＩＤと一致するＩＤが存在するか否かが判断される（Ｓ２１）。転送端末ＩＤと一致するＩＤが存在しない場合（Ｓ２１：ＮＯ）、Ｓ１１へ戻り、再び新たなＩＭデータを受信したか否かの判断が行われる。
【００６１】
また、クライアント端末３００から受信したクライアント端末ＩＤの中に、転送端末ＩＤと一致するＩＤが存在する場合（Ｓ２１：ＹＥＳ）、一致したクライアント端末ＩＤを無線通信部１１０で通信を行うクライアント端末３００として設定する（Ｓ２２）。つまり、一致したクライアント端末ＩＤで特定されるクライアント端末３００が、Ｂｌｕｅｔｏｏｔｈで無線通信を行う通信先の端末（以下、「通信端末」という。）となる。
【００６２】
次いで、Ｓ１１でサーバ２００より受信したＩＭデータ、及び転送情報が通信端末に対して送信される（Ｓ２３）。転送情報は、サーバ２００より受信したＩＭデータが携帯端末１００から送信されたことを示す情報である。そして、携帯端末側ＩＭＤＢ記憶エリア１４０２に記憶されている携帯端末側ＩＭＤＢ１４２１の転送フラグに、通信端末にＩＭデータを送信したことを示す「Ｔｒｕｅ」が設定される（Ｓ２４）。また、同時に、携帯端末側ＩＭＤＢ１４２１の転送先端末ＩＤには、通信端末を識別するＩＤが記憶される。このＳ２４の処理は、Ｓ１４で記憶された新たなＩＭデータのレコードに対して行われる。そして、携帯端末側ＩＭＤＢ１４２１に記憶されているＩＭデータに関する情報を表示する画面表示処理が実行される（Ｓ２５）。この画面表示処理についての詳細は、後述する。
【００６３】
また、ＩＭデータをサーバ２００から受信していない場合（Ｓ１１：ＮＯ）、携帯端末側ＩＭＤＢ記憶エリア１４０２に記憶されている携帯端末側ＩＭＤＢ１４２１の転送フラグに、「Ｆａｌｓｅ」が記憶されているＩＭデータのレコードが存在するか否かが判断される（Ｓ１２）。つまり、サーバ２００から受信したＩＭデータの内で、クライアント端末３００に送信されていないＩＭデータがあるか否かが判断される。
【００６４】
携帯端末側ＩＭＤＢ記憶エリア１４０２に記憶されている携帯端末側ＩＭＤＢ１４２１の転送フラグに、「Ｆａｌｓｅ」が記憶されている場合（Ｓ１２：ＹＥＳ）、その内で表示フラグに、「Ｆａｌｓｅ」が記憶されているＩＭデータのレコードが存在するか否かが判断される（Ｓ１３）。つまり、ＩＭデータ表示画面５００（図１３参照）の一覧表示部５１０でＩＭデータが選択され、ＩＭデータの内容が表示されたものであるか否かが判断されることにより、ユーザがＩＭデータの内容を読んだか否かが判断される。
【００６５】
表示フラグに、「Ｆａｌｓｅ」が記憶されているＩＭデータのレコードが存在する場合（Ｓ１３：ＹＥＳ）、該当するＩＭデータのレコードが携帯端末側ＩＭＤＢ１４２１から取得される（Ｓ１５）。そして、Ｓ１６〜Ｓ２６の処理が行われる。ここで、携帯端末側ＩＭＤＢ１４２１の転送フラグに、「Ｆａｌｓｅ」が記憶されているレコードが複数存在する場合、転送フラグに「Ｆａｌｓｅ」が記憶されている全てのＩＭデータのレコードに対して、Ｓ１３，Ｓ１５〜Ｓ２６の処理が実行される。
【００６６】
また、携帯端末側ＩＭＤＢ記憶エリア１４０２に記憶されている携帯端末側ＩＭＤＢ１４２１の転送フラグに、「Ｆａｌｓｅ」が記憶されていない場合（Ｓ１２：ＮＯ）、つまり、全てのレコードの転送フラグが「Ｔｒｕｅ」の場合、転送端末ＩＤを受信したか否かが判断される（Ｓ２７）。転送端末ＩＤは、サーバ２００から送信される情報であり、ＩＭデータを転送するクライアント端末３００を識別するＩＤである。転送端末ＩＤを受信していないと判断された場合（Ｓ２７：ＮＯ）、Ｓ１１へ戻り、再び新たなＩＭデータを受信したか否かの判断が行われる。
【００６７】
転送端末ＩＤをサーバ２００から受信した場合（Ｓ２７：ＹＥＳ）、受信した転送端末ＩＤを、ＥＥＰＲＯＭ１０４の転送端末ＩＤ記憶エリア１４０１に記憶する（Ｓ２８）。そして、Ｓ１１へ戻り、再び新たなＩＭデータを受信したか否かの判断が行われる。
【００６８】
また、携帯端末側ＩＭＤＢ記憶エリア１４０２に記憶されている携帯端末側ＩＭＤＢ１４２１の転送フラグに、「Ｆａｌｓｅ」が記憶されているＩＭデータのレコードの内で、表示フラグに「Ｆａｌｓｅ」が記憶されていない場合（Ｓ１３：ＮＯ）、つまり、転送フラグが「Ｆａｌｓｅ」のＩＭデータのレコードの内で、表示フラグが全て「Ｔｒｕｅ」の場合、Ｓ２７へ移行する。
【００６９】
次に、図１２を参照して、画面表示処理について説明する。この画面表示処理が実行されると、ＩＭデータ表示画面５００（図１３参照）に表示されているＩＭデータの情報が消去される（Ｓ３１）。ここで、ＩＭデータ表示画面５００は、携帯端末１００のメイン処理（図１１参照）が実行されている間は、常に表示されているものとする。このＩＭデータ表示画面５００の詳細については、後述する。
【００７０】
次いで、携帯端末側ＩＭＤＢ記憶エリア１４０２に記憶されている携帯端末側ＩＭＤＢ１４２１からＩＭデータのレコードが順に取得される（Ｓ３２）。例えば、図４の携帯端末側ＩＭＤＢ１４２１においては、一番上のレコードであるＩＭデータＩＤが「ＩＭ００１」のレコードが取得される。そして、全てのＩＭデータのレコードが処理されたか否かが判断される（Ｓ３３）。
【００７１】
ＩＭデータのレコードが複数あり、全てのＩＭデータのレコードが処理されていないと判断された場合（Ｓ３３：ＮＯ）、Ｓ２２で取得したＩＭデータのレコードの転送フラグが「Ｔｒｕｅ」か否かが判断される（Ｓ３４）。つまり、クライアント端末３００に送信したＩＭデータか否かが判断される。
【００７２】
Ｓ３２で取得したＩＭデータのレコードの転送フラグが「Ｔｒｕｅ」であると判断された場合（Ｓ３４：ＹＥＳ）、クライアント端末３００にＩＭデータを送信したことを示す定型文が作成され、ＩＭデータのレコードの内容に設定される（Ｓ３５）。ここでは、例えば、図４の携帯端末側ＩＭＤＢ１４２１において、レコードのＩＭデータＩＤが「ＩＭ００１」のレコードが取得された場合、転送先端末ＩＤが「ＩＤ＿ＰＣ０１」であるため、定型文は「このメッセージはクライアント端末（ＩＤ＿ＰＣ０１）に送信されています。」として作成される。そして、取得したＩＭデータの情報がＩＭデータ表示画面５００に表示される（Ｓ３６）。ここで、Ｓ３２で取得したＩＭデータのレコードの転送フラグが「Ｔｒｕｅ」であれば、ＩＭデータ表示画面５００の一覧表示部５１０の転送情報表示領域５１４（図１３参照）には、「転送」の文字が表示される。
【００７３】
Ｓ３２で取得したＩＭデータのレコードの転送フラグが「Ｔｒｕｅ」でないと判断された場合（Ｓ３４：ＮＯ）、つまり、転送フラグが「Ｆａｌｓｅ」の場合、Ｓ３５を実行せずにＳ３６へ移行する。
【００７４】
そして、全てのＩＭデータのレコードが処理された場合（Ｓ３３：ＹＥＳ）、画面表示処理が終了する。画面表示処理が実行されることにより、携帯端末側ＩＭＤＢ１４２１に記憶されている全てのＩＭデータの情報が、ＩＭデータ表示画面５００に表示される。
【００７５】
ここで、図１３を参照して、携帯端末１００に表示されるＩＭデータ表示画面５００について説明する。上述したように、ＩＭデータ表示画面５００は、携帯端末１００のメイン処理（図１１参照）が実行されている間は常に表示される。
【００７６】
ＩＭデータ表示画面５００は、画面中央より左側に表示される一覧表示部５１０、画面中央より右側に表示される詳細表示部５２０から構成されている。一覧表示部５１０には、携帯端末側ＩＭＤＢ１４２１に記憶されているＩＭデータのレコード毎の情報が表示される。また、詳細表示部５２０には、一覧表示部５１０で選択されたＩＭデータの詳細が表示される。ここで、例えば、図１３のＩＭデータ表示画面５００では、一覧表示部５１０で「ＩＭ００３」のＩＭデータＩＤで特定されるＩＭデータが選択された状態である。
【００７７】
一覧表示部５１０には、ＩＭデータＩＤ表示領域５１１，受信日時表示領域５１２，添付ファイル名表示領域５１３，転送情報表示領域５１４，及び送信者表示領域５１５が設けられている。ＩＭデータＩＤ表示領域５１１には、携帯端末側ＩＭＤＢ１４２１の「ＩＭデータＩＤ」に記憶された情報が表示される。受信日時表示領域５１２には、携帯端末側ＩＭＤＢ１４２１の「受信日時」に記憶された情報が表示される。添付ファイル名表示領域５１３には、携帯端末側ＩＭＤＢ１４２１の「添付ファイル」に記憶されたファイル名が表示される。転送情報表示領域５１４には、携帯端末側ＩＭＤＢ１４２１の「転送フラグ」に「Ｔｒｕｅ」が記憶されている際に、「［転送］」と表示される。送信者表示領域５１５には、携帯端末側ＩＭＤＢ１４２１の「送信者名」に記憶された情報が表示される。
【００７８】
詳細表示部５２０には、非表示ボタン５２１が設けられている。さらに、一覧表示部５１０に表示される情報の表示領域に加え、件名表示領域５２２，及び内容表示領域５２３が設けられている。非表示ボタン５２１が選択されることにより、詳細表示部５２０が非表示となる。件名表示領域５２２には、携帯端末側ＩＭＤＢ１４２１の「件名」に記憶された情報が表示される。内容表示領域５２３には、携帯端末側ＩＭＤＢ１４２１の「内容」に記憶された情報が表示される。なお、一覧表示部５１０でＩＭデータが選択され、詳細表示部５２０が表示されることで、携帯端末側ＩＭＤＢ１４２１に記憶されたレコードの内で、選択されたＩＭデータに対応した表示フラグが「Ｔｒｕｅ」となる。
【００７９】
次に、前述のように構成されたクライアント端末３００において行われる処理について、図７，図１２，図１４，及び図１５を参照して説明する。図１４は、クライアント端末３００で行われるメイン処理についてのフローチャートである。図１５は、クライアント端末３００で表示されるＩＭデータ表示画面６００の一具体例を示す図である。
【００８０】
まず、図１４を参照して、クライアント端末３００で行われるメイン処理について説明する。なお、このメイン処理の動作は、クライアント端末３００が起動した際に行われる。メイン処理が実行されると、無線通信部３０９が、通信要求信号を受信したか否かが判断される（Ｓ４１）。上述したように、この通信要求信号は、マスタ側の端末である携帯端末１００から送信（図１１：Ｓ１６参照）される信号であり、携帯端末１００の通信圏内に、クライアント端末３００が存在するか否かを判断する信号である。
【００８１】
通信要求信号を受信していない場合（Ｓ４１：ＮＯ）、つまり、Ｂｌｕｅｔｏｏｔｈの通信圏内に携帯端末１００が存在していない場合、ＩＭデータを受信したか否かが判断される（Ｓ４３）。上述したように、このＩＭデータは携帯端末１００から送信される（図１１：Ｓ２３参照）。ＩＭデータを受信していないと判断されると（Ｓ４３：ＮＯ）、Ｓ４１へ移行する。そして、通信要求信号、又はＩＭデータを受信するまで、Ｓ４１：ＮＯ，Ｓ４３：ＮＯの処理を繰り返す。
【００８２】
無線通信部３０９が、通信要求信号を受信したと判断された場合（Ｓ４１：ＹＥＳ）、クライアント端末３００を識別するＩＤであるクライアント端末ＩＤが携帯端末１００に送信され（Ｓ４２）、Ｓ４１へ移行する。
【００８３】
また、携帯端末１００からＩＭデータを受信したと判断されると（Ｓ４３：ＹＥＳ）、転送情報を受信したか否かが判断される（Ｓ４４）。上述したように、転送情報は、携帯端末１００からＩＭデータと同時に送信される情報であり、ＩＭデータが携帯端末１００から送信されたことを示す情報である。
【００８４】
転送情報を受信したと判断された場合（Ｓ４４：ＹＥＳ）、ＩＭデータが携帯端末１００から送信されたことを示す「Ｔｒｕｅ」が、ＩＭデータの転送フラグに設定される（Ｓ４５）。また、転送情報を受信していないと判断された場合（Ｓ４４：ＮＯ）、ＩＭデータが携帯端末１００以外の端末から送信されたことを示す「Ｆａｌｓｅ」が、ＩＭデータの転送フラグに設定される（Ｓ４６）。
【００８５】
ＩＭデータの転送フラグに「Ｔｒｕｅ」又は「Ｆａｌｓｅ」が設定されると、受信したＩＭデータの情報に基づいてレコードが作成され、クライアント端末側ＩＭＤＢ記憶エリア３４０１に設けられたクライアント端末側ＩＭＤＢ３４２１に記憶する（Ｓ４７）。ここで、転送元端末ＩＤには、ＩＭデータを送信した端末を識別するＩＤが記憶される。次いで、画面表示処理が実行される（Ｓ４８）。クライアント端末３００で実行される画面表示処理は、携帯端末１００で実行される画面表示処理と同様の処理のため、図１２を参照して説明する。
【００８６】
図１２に示すように、クライアント端末３００において画面表示処理が実行されると、ＩＭデータ表示画面６００（図１５参照）に表示されているＩＭデータの情報が消去される（Ｓ３１）。ここで、ＩＭデータ表示画面６００は、クライアント端末３００のメイン処理（図１４参照）が実行されている間は、常に表示されているものとする。このＩＭデータ表示画面６００の詳細については、後述する。
【００８７】
次いで、クライアント端末側ＩＭＤＢ記憶エリア３４０１に記憶されているクライアント端末側ＩＭＤＢ３４２１からＩＭデータのレコードが取得される（Ｓ３２）。例えば、図７のクライアント端末側ＩＭＤＢ３４２１においては、ＩＭデータＩＤが「ＩＭ００１」のレコードが取得される。そして、全てのＩＭデータのレコードが処理されたか否かが判断される（Ｓ３３）。
【００８８】
ＩＭデータのレコードが複数あり、全てのＩＭデータのレコードが処理されていないと判断された場合（Ｓ３３：ＮＯ）、Ｓ２２で取得したＩＭデータのレコードの転送フラグが「Ｔｒｕｅ」か否かが判断される（Ｓ３４）。つまり、携帯端末１００から受信したＩＭデータか否かが判断される。
【００８９】
Ｓ２２で取得したＩＭデータのレコードの転送フラグが「Ｔｒｕｅ」であると判断された場合（Ｓ３４：ＹＥＳ）、携帯端末１００からＩＭデータを受信したことを示す定型文が作成され、ＩＭデータのレコードの内容に設定される（Ｓ３５）。ここでは、例えば、図７のクライアント端末側ＩＭＤＢ３４２１において、レコードのＩＭデータＩＤが「ＩＭ００１」のレコードが取得された場合、転送元端末ＩＤが「ＩＤ＿Ｍ０１」であるため、定型文は「このメッセージは携帯端末（ＩＤ＿Ｍ０１）から送信されたものです。」として作成される。そして、取得したＩＭデータの情報がＩＭデータ表示画面６００に表示される（Ｓ３６）。ここで、Ｓ３２で取得したＩＭデータのレコードの転送フラグが「Ｔｒｕｅ」であれば、ＩＭデータ表示画面６００の一覧表示部６１０の転送情報表示領域６１５（図１５参照）には、「転送」の文字が表示される。
【００９０】
Ｓ２２で取得したＩＭデータのレコードの転送フラグが「Ｔｒｕｅ」でないと判断された場合（Ｓ３４：ＮＯ）、つまり、転送フラグが「Ｆａｌｓｅ」の場合、Ｓ３５を実行せずにＳ３６へ移行する。
【００９１】
そして、全てのＩＭデータのレコードが取得された場合（Ｓ３３：ＹＥＳ）、画面表示処理が終了する。画面表示処理が実行されることにより、クライアント端末側ＩＭＤＢ３４２１に記憶されている全てのＩＭデータの情報が、ＩＭデータ表示画面６００に表示される。
【００９２】
ここで、図１５を参照して、クライアント端末３００に表示されるＩＭデータ表示画面６００について説明する。上述したように、ＩＭデータ表示画面６００は、クライアント端末３００のメイン処理（図１４参照）が実行されている間は常に表示される。
【００９３】
ＩＭデータ表示画面６００は、画面中央より左側に表示される一覧表示部６１０、画面中央より右側に表示される詳細表示部６２０から構成されている。一覧表示部６１０には、クライアント端末側ＩＭＤＢ３４２１に記憶されているＩＭデータのレコード毎の情報が表示される。また、詳細表示部６２０には、一覧表示部６１０で選択されたＩＭデータの詳細が表示される。ここで、例えば、図１５のＩＭデータ表示画面６００では、詳細表示部６２０で「ＩＭ００３」のＩＭデータＩＤで特定されるＩＭデータが選択された状態である。
【００９４】
一覧表示部６１０には、ＩＭデータＩＤ表示領域６１１，受信日時表示領域６１２，添付ファイル名表示領域６１３，送信者表示領域６１４，及び転送情報表示領域６１５が設けられている。ＩＭデータＩＤ表示領域６１１には、クライアント端末側ＩＭＤＢ３４２１の「ＩＭデータＩＤ」に記憶された情報が表示される。受信日時表示領域６１２には、クライアント端末側ＩＭＤＢ３４２１の「受信日時」に記憶された情報が表示される。添付ファイル名表示領域６１３には、クライアント端末側ＩＭＤＢ３４２１の「添付ファイル」に記憶されたファイル名が表示される。送信者表示領域６１４には、クライアント端末側ＩＭＤＢ３４２１の「送信者名」に記憶された情報が表示される。転送情報表示領域６１５には、クライアント端末側ＩＭＤＢ３４２１の「転送フラグ」に「Ｔｒｕｅ」が記憶されている際に、「［転送］」と表示される。
【００９５】
詳細表示部６２０には、非表示ボタン６２１が設けられている。さらに、一覧表示部６１０に表示される情報の表示領域に加え、宛先表示領域６２２，件名表示領域６２３，及び内容表示領域６２４が設けられている。非表示ボタン６２１が選択されることにより、詳細表示部６２０が非表示状態となる。宛先表示領域６２２には、クライアント端末側ＩＭＤＢ３４２１の「受信者名」に記憶された情報が表示される。件名表示領域６２３には、クライアント端末側ＩＭＤＢ３４２１の「件名」に記憶された情報が表示される。内容表示領域６２４には、クライアント端末側ＩＭＤＢ３４２１の「内容」に記憶された情報が表示される。
【００９６】
次に、前述のように構成されたサーバ２００において行われる処理について、図１０，図１６を参照して説明する。図１６は、サーバ２００で行われるメイン処理についてのフローチャートである。なお、このメイン処理の動作は、サーバ２００が起動した際に行われる。
【００９７】
サーバ２００でメイン処理が実行されると、複合機４００からネットワーク２を介して画像データを受信したか否かが判断される（Ｓ５１）。また、複合機４００に送信されたＦＡＸの送受信番号が、画像データと同時にサーバ２００に送信される。画像データを受信していないと判断された場合（Ｓ５１：ＮＯ）、転送端末ＩＤの送信指示があったか否かが判断される（Ｓ５２）。転送端末ＩＤは、サーバ２００のディスプレイ２７０に表示された転送端末ＩＤ設定画面（図示外）から入力され、ユーザの送信指示により携帯端末１００に送信される。また、転送端末ＩＤ設定画面では、転送端末ＩＤに加えて、転送端末ＩＤを送信する携帯端末１００を識別するＩＤも入力される。
【００９８】
ユーザから転送端末ＩＤの送信指示がなかった場合（Ｓ５２：ＮＯ）、Ｓ５１へ移行する。そして、複合機４００から画像データを受信するか、転送端末ＩＤの送信指示を受け付けるまで、Ｓ５１：ＮＯ，Ｓ５２：ＮＯの処理を繰り返す。
【００９９】
複合機４００から画像データを受信した場合（Ｓ５１：ＹＥＳ）、携帯端末１００に送信するＩＭデータを作成するための情報が、連絡先ＤＢ記憶エリア２４０１に記憶された連絡先ＤＢ２４１０から取得され（Ｓ５３）、ＩＭデータが作成される（Ｓ５４）。この情報は、画像データを送信した複合機４００のＦＡＸ番号、及びＦＡＸを送信した外部の複合機４００のＦＡＸ番号に基づいて取得される。ここで、例えば、図１０に示すような連絡先ＤＢ２４１０において、ＦＡＸを送信した外部の複合機４００のＦＡＸ番号が「２３４−５６７−８９０１」、送信先である複合機４００のＦＡＸ番号が「０１２−３４５−６７８９」である場合、ＦＡＸの送信者名は「海屋  三郎」、送信先の受信者名は「麻積谷  吾郎」として取得する。また、「麻積谷  吾郎」が所有する携帯端末１００を識別するＩＤは「ＩＤ＿Ｍ０１」として取得する。そして、作成されるＩＭデータの送信者名は「海屋  三郎」、受信者名は「麻積谷  吾郎」となる。また、ＩＭデータの送信先の携帯端末１００は、ＩＤが「ＩＤ＿Ｍ０１」で特定される携帯端末１００となる。また、受信した画像データは、ＩＭデータに添付され、送信される。ここで、添付ファイルの名称は、「Ｆａｘデータ．ｔｉｆ」とする。
【０１００】
次いで、Ｓ５４で作成されたＩＭデータが、Ｓ５３で特定された携帯端末１００に送信される（Ｓ５５）。そして、Ｓ５１へ移行する。
【０１０１】
また、ユーザから転送端末ＩＤの送信指示があった場合（Ｓ５２：ＹＥＳ）、転送端末ＩＤ設定画面で入力された転送端末ＩＤ、及び送信先の携帯端末１００を識別するＩＤが取得され（Ｓ５６）、ＨＤＤ２０４に記憶される。そして、記憶された転送端末ＩＤが、送信先の携帯端末１００を識別するＩＤで特定される携帯端末１００に送信され（Ｓ５７）、Ｓ５１へ移行する。
【０１０２】
以上説明したように、本実施の形態によると、ＩＭデータをサーバ２００から受信し、携帯端末１００に記憶される。そして、Ｂｌｕｅｔｏｏｔｈの通信圏内に送信先のクライアント端末３００である通信端末が存在し、ＩＭデータが未送信、且つ未表示の状態である場合、ＩＭデータが通信端末に送信される。また、通信端末で、携帯端末から受信したＩＭデータは、携帯端末１００から送信された旨を示す情報がＩＭデータ表示画面６００に表示される。これにより、通信端末を使用しているユーザは、携帯端末１００に送信されたＩＭデータをより早い段階で気付くことができる。
【０１０３】
また、携帯端末１００でユーザが閲覧していない未表示のＩＭデータだけを通信端末で受信することができるため、通信端末において、不必要なメッセージデータが受信されることを防げる。
【０１０４】
また、携帯端末１００のＩＭデータ表示画面５００転送情報表示領域５１４には、通信端末に送信したＩＭデータに対して、通信端末にＩＭデータを送信した旨を示す情報が表示される。これにより、ユーザは携帯端末１００を使用する際に、通信端末に送信したＩＭデータか否かを把握できる。その結果、ユーザは携帯端末１００で閲覧する必要があるＩＭデータか否かを判断することができる。
【０１０５】
また、携帯端末１００の無線通信部１１０が「端末側通信装置」に相当し、クライアント端末３００の無線通信部３０９が「クライアント側通信装置」に相当する。ＩＭデータが「メッセージデータ」に相当し、転送情報が「クライアント送信情報」に相当する。転送端末ＩＤ、クライアント端末ＩＤが「クライアント端末情報」に相当する。図１１のＳ１１：ＹＥＳでサーバ２００からＩＭデータを受信する処理を行うＣＰＵ１０１が「第一受信手段」に相当する。ＥＥＰＲＯＭ１０４の携帯端末側ＩＭＤＢ記憶エリア１４０２が「データ記憶手段」に相当する。図１１のＳ１８で一定時間を経過するまでに、クライアント端末３００からクライアント端末ＩＤを受信したか否かを判断する処理を行うＣＰＵ１０１が「距離判断手段」に相当する。図１１のＳ２３で、ＩＭデータ、及び転送情報を通信端末に対して送信する処理を行うＣＰＵ１０１が「データ送信手段」に相当する。
【０１０６】
また、携帯端末側ＩＭＤＢ１４２１の転送フラグが「送信情報」に相当する。図１１のＳ２４で、携帯端末側ＩＭＤＢ１４２１の転送フラグに、ＩＭデータを送信したことを示す「Ｔｒｕｅ」を設定する処理を行うＣＰＵ１０１が、「送信情報変更手段」に相当する。ＩＭデータ表示画面５００が「第一表示手段」に相当する。図１２のＳ３６で、ＩＭデータの情報を表示し、転送情報表示領域５１４に「転送」の文字を表示する処理を行うＣＰＵ１０１が「第一表示制御手段」に相当する。
【０１０７】
また、図１１のＳ１２：ＹＥＳで、携帯端末側ＩＭＤＢ１４２１の転送フラグに、「Ｆａｌｓｅ」が記憶されているＩＭデータのレコードを取得する処理を行うＣＰＵ１０１が「未送信データ検出手段」に相当する。携帯端末側ＩＭＤＢ１４２１の表示フラグが「表示情報」に相当する。図１１のＳ１３：ＹＥＳで、携帯端末側ＩＭＤＢ１４２１の表示フラグに、「Ｆａｌｓｅ」が記憶されているＩＭデータのレコードを取得する処理を行うＣＰＵ１０１が「未読データ検出手段」に相当する。
【０１０８】
また、ＥＥＰＲＯＭ１０４の転送端末ＩＤ記憶エリア１４０１が「クライアント端末情報記憶手段」に相当する。図１１のＳ２２で、クライアント端末ＩＤを無線通信部１１０で通信を行うクライアント端末３００として設定する処理を行うＣＰＵ１０１が「クライアント端末設定手段」に相当する。
【０１０９】
また、サーバ２００のＨＤＤ２０４が「サーバ記憶手段」に相当する。図１６のＳ５６で、転送端末ＩＤ、及び送信先の携帯端末１００を識別するＩＤが取得され、ＨＤＤ２０４に記憶する処理を行うＣＰＵ１０１が「サーバ記憶制御手段」に相当する。図１１のＳ２７：ＹＥＳで、転送端末ＩＤをサーバ２００から受信する処理を行うＣＰＵ１０１が「クライアント端末情報受信手段」に相当する。図１１のＳ２８で、転送端末ＩＤを、ＥＥＰＲＯＭ１０４の転送端末ＩＤ記憶エリア１４０１に記憶する処理を行うＣＰＵ１０１が「クライアント端末情報変更手段」に相当する。
【０１１０】
ＩＭデータ表示画面６００が「第二表示手段」に相当する。図１４のＳ４４：ＹＥＳで、携帯端末１００からＩＭデータを受信する処理を行うＣＰＵ３０１が「第二受信手段」に相当する。図１２のＳ３６で、ＩＭデータの情報を表示し、転送情報表示領域６１５に「転送」の文字を表示する処理を行うＣＰＵ３０１が「第二表示制御手段」に相当する。
【０１１１】
尚、本発明は、上述した実施の形態に限定されるものではなく、本発明の要旨を逸脱しない範囲内において種々の変更が可能であることは勿論である。まず、携帯端末１００とクライアント端末３００との通信手段として、Ｂｌｕｅｔｏｏｔｈ規格に準じて無線通信を行っているが、これに限定しない。例えば、赤外線通信、無線ＬＡＮ等により無線通信を行ってもよい。
【０１１２】
また、複合機４００から送信される画像データをサーバ２００は受信するが、留守番電話機能による音声データであってもよい。その際、図１０の連絡先ＤＢ２４１０には、ＦＡＸ番号ではなく、電話番号が記憶される。そして、サーバ２００は、ＩＭデータに音声データを添付し、携帯端末１００に送信する。
【０１１３】
また、携帯端末１００からクライアント端末３００にＩＭを送信しているが、これに限定しない。例えば、電子メールであってもよい。
【０１１４】
また、サーバ２００は、複合機４００より画像データを受信するが、これに限定しない。例えば、複合機４００でＦＡＸにより受信した画像データが添付された電子メールを、サーバ２００は受信してもよい。そして、サーバ２００は、受信した電子メールを携帯端末１００にそのまま転送してもよい。また、サーバ２００は、電子メールではなく、ＩＭで複合機４００から受信し、受信したＩＭを携帯端末１００にそのまま転送してもよい。
【０１１５】
また、上述した実施の形態では、携帯端末１００は、複合機４００から転送される画像データが添付されたＩＭデータをサーバ２００から受信しているが、これに限定しない。例えば、所定の送信元からサーバ２００に対して送信されたＩＭデータ、又は電子メールであってもよい。また、その際の携帯端末１００に送信されるＩＭデータ、又は電子メールの件名は、サーバ２００で作成されないものとする。
【０１１６】
また、サーバ２００は、複合機４００で受信したＦＡＸに基づいて作成された画像データを、サーバ２００のディスプレイ２７０で表示するようにしてもよい。これにより、ユーザは、サーバ２００において、複合機４００がＦＡＸを受信したことを把握できる。
【０１１７】
また、Ｓ１８で、計測カウンタにより計測された時間が一定時間である１秒を経過するまでに、クライアント端末３００からクライアント端末ＩＤを受信したか否かが判断されるが、一定時間は１秒に限定しない。
【０１１８】
また、上述した実施の形態では、無線による通信可能範囲にクライアント端末３００が存在し、クライアント端末３００からクライアント端末ＩＤを受信すれば、受信したクライアント端末ＩＤで特定されるクライアント端末３００を通信可能な候補として選択するが、これに限定しない。例えば、携帯端末１００とクライアント端末３００との距離を取得し、所定距離以内に存在するクライアント端末３００を通信可能な候補として選択するようにしてもよい。ここで、所定距離はオフィスの同一フロア内を想定し、１０メートルとする。また、１０メートル以内であっても問題はない。
【０１１９】
その際は、公知のＲＦＩＤなどの電子タグをクライアント端末３００に装着し、電子タグを読み取るタグリーダを携帯端末１００側に装着する。そして、図１１のＳ１８の後に、携帯端末１００のタグリーダでクライアント端末３００の電子タグからの電波強度を取得することにより、距離判断をすればよい。そして、所定距離以内と判断すればＳ１９へ移行し、所定距離以内と判断されなかった場合、Ｓ２６へ移行するようにすればよい。
【０１２０】
また、電子タグを用いず、超音波距離測定センサ、又はＧＰＳ（Ｇｌｏｂａｌ  Ｐｏｓｉｔｉｏｎｉｎｇ  Ｓｙｓｔｅｍ）を用いて携帯端末１００とクライアント端末３００との距離を取得するようにしてもよい。
【０１２１】
また、オフィスのフロアの入退室を管理する入退室管理システムを使用してもよい。その際は、オフィスのフロアの入口にＩＤカードリーダを設置し、各個人が所有する個人情報が記憶されたＩＤカードをＩＤリーダにかざし、入室した場合、所定距離内と判断すればよい。また、退室した場合、所定距離外であると判断すればよい。
【０１２２】
また、転送端末ＩＤ記憶エリア１４０１には、ＩＭデータを転送するクライアント端末３００を識別する転送端末ＩＤが、１つだけ記憶されるが、複数であってもよい。その際、記憶される転送端末ＩＤには、優先順位が対応づけられる。そして、その優先順位が高い転送端末ＩＤで特定されるクライアント端末３００から順に、携帯端末１００と無線通信を行う候補となり、Ｓ２１での判断処理が行われる。
【０１２３】
また、上述した実施の形態では、転送端末ＩＤはＥＥＰＲＯＭ１０４の転送端末ＩＤ記憶エリア１４０１に記憶される（図１１：Ｓ２８）。そして、クライアント端末３００から受信したクライアント端末ＩＤの中に、記憶された転送端末ＩＤと一致するＩＤが存在する場合（Ｓ２１：ＹＥＳ）、一致したクライアント端末ＩＤを無線通信部１１０で通信を行うクライアント端末３００として設定（図１１：Ｓ２２）しているが、これに限定しない。例えば、転送端末ＩＤは、ＩＭデータと同時にサーバ２００から受信し、受信した転送端末ＩＤを無線通信部１１０で通信を行うクライアント端末３００として設定してもよい。
【０１２４】
これについては、図１７を参照して説明する。図１７は、第一変形例の携帯端末１００で行われるメイン処理についてのフローチャートである。この第一変形例の携帯端末１００のメイン処理の動作は、携帯端末１００が起動した際に行われる。なお、第一変形例の携帯端末１００のメイン処理では、上述した実施の形態のＳ２７，Ｓ２８，Ｓ２０〜Ｓ２２の処理は行われない。
【０１２５】
図１７に示すように、第一変形例の携帯端末１００のメイン処理が実行されると、ＩＭデータ、及びＩＭデータに対応づけられた転送端末ＩＤをサーバ２００から受信したか否かが判断される（Ｓ６１）。この転送端末ＩＤは、サーバ２００からＩＭデータに対応づけられて送信されたものである。ＩＭデータ、及びＩＭデータに対応づけられた転送端末ＩＤをサーバ２００から受信したと判断された場合（Ｓ６１：ＹＥＳ）、受信した転送端末ＩＤを無線通信部１１０で通信を行うクライアント端末３００として設定する（Ｓ６５）。そして、Ｓ６６〜Ｓ７０の処理が行われるが、上述した実施の形態のＳ１４，Ｓ１６〜Ｓ１９と同様の処理のため、説明を省略する。また、ＩＭデータ、及びＩＭデータに対応づけられた転送端末ＩＤをサーバ２００から受信していない場合（Ｓ６１：ＹＥＳ）、Ｓ６２，Ｓ６３，Ｓ６４の処理が行われるが、上述した実施の形態のＳ１２，Ｓ１３，Ｓ１５と同様の処理のため、説明を省略する。
【０１２６】
Ｓ７０で計測カウンタを停止し、カウント値を「０」に初期化する処理がおこなわれると、Ｓ６５で無線通信部１１０に設定された送信端末ＩＤと一致するＩＤが、クライアント端末３００から受信したクライアント端末ＩＤの中に存在するか否かが判断される（Ｓ７１）。無線通信部１１０に設定された送信端末ＩＤと一致するＩＤが存在しない場合（Ｓ７１：ＮＯ）、Ｓ６１へ移行する。また、無線通信部１１０に設定された送信端末ＩＤと一致するＩＤが存在した場合（Ｓ７１：ＹＥＳ）、Ｓ７２〜Ｓ７４の処理が行われ、Ｓ６１へ移行する。ここで、Ｓ７２〜Ｓ７４の処理は、上述した実施の形態のＳ２３〜Ｓ２５の処理と同様のため、説明を省略する。
【０１２７】
以上のように、上述した第一変形例の携帯端末１００では、サーバ２００から受信されるＩＭデータには、送信端末ＩＤが対応づけられている。そして、受信した転送端末ＩＤを無線通信部１１０で通信を行うクライアント端末３００として設定する。これにより、ユーザは、ＩＭデータを送信するサーバ２００から、無線通信をするクライアント端末３００を指定することができる。
【０１２８】
なお、上述した第一変形例において、図１７のＳ６５で、転送端末ＩＤを無線通信部１１０で通信を行うクライアント端末３００として設定する処理を行うＣＰＵ１０１が「クライアント端末設定手段」に相当する。図１７のＳ６１：ＹＥＳでＩＭデータ、及びＩＭデータに対応づけられた転送端末ＩＤをサーバ２００から受信する処理を行うＣＰＵ１０１が「第一受信手段」に相当する。
【図面の簡単な説明】
【０１２９】
【図１】携帯端末１００、サーバ２００、及びクライアント端末３００の接続形態の一例を示す図である。
【図２】携帯端末１００の電気的構成を示すブロック図である。
【図３】携帯端末１００のＥＥＰＲＯＭ１０４の構成を示す模式図である。
【図４】携帯端末側ＩＭＤＢ１４２１の構成を示す模式図である。
【図５】クライアント端末３００の電気的構成を示すブロック図である。
【図６】クライアント端末３００のハードディスク（ＨＤＤ）３０４の構成を示す模式図である。
【図７】クライアント端末側ＩＭＤＢ３４２１の構成を示す模式図である。
【図８】サーバ２００の電気的構成を示すブロック図である。
【図９】サーバ２００のＨＤＤ２０４の構成を示す模式図である。
【図１０】連絡先ＤＢ２４１０の構成を示す模式図である。
【図１１】携帯端末１００で行われるメイン処理についてのフローチャートである。
【図１２】携帯端末１００で行われる画面表示処理のフローチャートである。
【図１３】携帯端末１００で表示されるＩＭデータ表示画面５００の一具体例を示す図である。
【図１４】クライアント端末３００で行われるメイン処理についてのフローチャートである。
【図１５】クライアント端末３００で表示されるＩＭデータ表示画面６００の一具体例を示す図である。
【図１６】サーバ２００で行われるメイン処理についてのフローチャートである。
【図１７】第一変形例の携帯端末１００で行われるメイン処理についてのフローチャートである。
【符号の説明】
【０１３０】
１        データ転送システム
１００    携帯端末
２００    サーバ
３００    クライアント端末
１０１，２０１，３０１    ＣＰＵ
１０３，２０３，３０３    ＲＡＭ
１０４    ＥＥＰＲＯＭ
１０６    表示部
１１０，３０９    無線通信部
３０４    ＨＤＤ
３７０    ディスプレイ
５００，６００    ＩＭデータ表示画面
１４０１    転送端末ＩＤ記憶エリア
１４０２    携帯端末側ＩＭＤＢ記憶エリア
１４２１    携帯端末側ＩＭＤＢ
３４０１    クライアント端末側ＩＭＤＢ記憶エリア
【図１】
2010086326.tif 000003
【図２】
2010086326.tif 000004
【図３】
2010086326.tif 000005
【図４】
2010086326.tif 000006
【図５】
2010086326.tif 000007
【図６】
2010086326.tif 000008
【図７】
2010086326.tif 000009
【図８】
2010086326.tif 000010
【図９】
2010086326.tif 000011
【図１０】
2010086326.tif 000012
【図１１】
2010086326.tif 000013
【図１２】
2010086326.tif 000014
【図１３】
2010086326.tif 000015
【図１４】
2010086326.tif 000016
【図１５】
2010086326.tif 000017
【図１６】
2010086326.tif 000018
【図１７】
2010086326.tif 000019